Podtech/llm-jp-corpus-v4-ja_patent huggingface dataset:
(57)【要約】　　　（修正有）【課題】画面品質を高め、重点画面を突出させ、強調効果を獲得し、節電する。【解決手段】二種類以上の異なるディスプレイパネル構造を組み合わせて完全なパネルを形成し、透射式、半透射式及び反射式の異なる効果を組み合わせ、節電及び画面品質を獲得し、並びに重点画面を突出させることにより、表現強調機能を具備させ、実用価値を高めた。【選択図】　　　　図１
0003098318.tif 000002
【実用新案登録請求の範囲】
【請求項１】
二種類或いはそれ以上の異なる形式のパネルで組成されたことを特徴とする、液晶ディスプレイパネル。
【請求項２】
異なる形式のパネルが透射式、半透射式、反射式構造とされたことを特徴とする、請求項１記載の液晶ディスプレイパネル。
【請求項３】
パネルが必要により任意に区画されて異なる組成形状とされることを特徴とする、請求項１記載の液晶ディスプレイパネル。
【考案の詳細な説明】
【０００１】
【考案の属する技術分野】
本考案は一種の液晶ディスプレイパネルに係り、特に合成したパネルを指し、二種類以上のパネル構造を具えて異なる機能の要求に対応する、液晶ディスプレイパネルに関する。
【０００２】
【従来の技術】
一般に液晶ディスプレイパネルには、透射式、半透射式及び反射式の三種類があり、異なる光線の処理効果を利用し、パネルに必要な画面を現出させる。
【０００３】
【考案が解決しようとする課題】
周知の液晶ディスプレイパネルの三種類の異なる方式は異なる表現効果を有し、透射式パネルの画面は鮮明で美しいが、電力を消耗しすぎ、反射式パネルは節電できるが、外部光源がない環境では観にくい。すなわちそれぞれが長所と短所を具えている。周知の液晶ディスプレイパネルは単一構造のパネルとされ、このためそのパネルの特性のみ有し、使用上、既知の欠点を有している。
【０００４】
【課題を解決するための手段】
請求項１の考案は、二種類或いはそれ以上の異なる形式のパネルで組成されたことを特徴とする、液晶ディスプレイパネルとしている。
請求項２の考案は、異なる形式のパネルが透射式、半透射式、反射式構造とされたことを特徴とする、請求項１記載の液晶ディスプレイパネルとしている。
請求項３の考案は、パネルが必要により任意に区画されて異なる組成形状とされることを特徴とする、請求項１記載の液晶ディスプレイパネルとしている。
【０００５】
【考案の実施の形態】
本考案は周知の単一パネルの液晶ディスプレイパネルの構造に対して改良を行ない、設計上、二種類以上のディスプレイパネルを組み合わせて一つのパネルとなし、これは図１、２に示されるようである。則ち本考案の提供するパネルは二種類以上の異なる形式のディスプレイ構造を具え、例えば図１のａのように透射式１＋半透射式２とされるか、図１のｂのように半透射式２＋反射式３とされるか、図１のｃのように反射式３＋透射式１とされるか、或いは図２のように、透射式１＋半透射式２＋反射式３とされるか、その他の異なる区間設計、例えば図３、４に示されるようなものとされ、これらはいずれも本考案の請求範囲に属する。
【０００６】
【実施例】
形式の異なるディスプレイパネルはそれぞれに異なる特性を有している。このため、本考案ではそれぞれの異なる機能を組み合わせて完全なパネルとなし、画面品質を高め、並びに重点画面を突出させ、強調効果を獲得し、電力を重要でないパネルに消費しないようにし、節電の目的を達成する。則ち、鮮明できれいな画面部分を表現するのは透射式パネルとされ、節電下で文字を表示する簡単な画面部分には反射式或いは半透射式パネル構造を設け、これにより最良の実用機能を獲得する。
【０００７】
【考案の効果】
総合すると、本考案は巧妙な組合せ設計により、異なるパネルの組合せを利用し、相互に異なる特質を現出させて、画面表現の効果を達成し、ゆえに本考案は実用新案登録の要件を具備している。
【図面の簡単な説明】
【図１】本考案の液晶ディスプレイの二種類のパネル構造を具えた実施例表示図である。
【図２】本考案の液晶ディスプレイの三種類のパネル構造を具えた実施例表示図である。
【図３】本考案の応用実施例参考図である。
【図４】本考案の別の応用実施例参考図である。
【符号の説明】
１　透射式パネル　　　　２　半透射式パネル　３　反射式パネル
【図１】
0003098318.tif 000003
【図２】
0003098318.tif 000004
【図３】
0003098318.tif 000005
【図４】
0003098318.tif 000006
【手続補正書】
【提出日】平成15年7月22日(2003.7.22)
【手続補正１】
【補正対象書類名】明細書
【補正対象項目名】実用新案登録請求の範囲
【補正方法】変更
【補正の内容】
【実用新案登録請求の範囲】
【請求項１】
二種類或いはそれ以上の異なる形式のパネルが平面上で組み合わされて液晶ディスプレイパネルのパネル面を形成したことを特徴とする、液晶ディスプレイパネル。
【請求項２】
異なる形式のパネルが透射式、半透射式、反射式構造とされたことを特徴とする、請求項１記載の液晶ディスプレイパネル。
【請求項３】
パネルが平面上で任意に区画されて各区画が相互に異なる形式のパネルとされたことを特徴とする、請求項１記載の液晶ディスプレイパネル。
【手続補正２】
【補正対象書類名】明細書
【補正対象項目名】０００４
【補正方法】変更
【補正の内容】
【０００４】
【課題を解決するための手段】
請求項１の考案は、二種類或いはそれ以上の異なる形式のパネルが平面上で組み合わされて液晶ディスプレイパネルのパネル面を形成したことを特徴とする、液晶ディスプレイパネルとしている。
請求項２の考案は、異なる形式のパネルが透射式、半透射式、反射式構造とされたことを特徴とする、請求項１記載の液晶ディスプレイパネルとしている。
請求項３の考案は、パネルが平面上で任意に区画されて各区画が相互に異なる形式のパネルとされたことを特徴とする、請求項１記載の液晶ディスプレイパネルとしている。
(57)【要約】【課題】無理に文字を覚えさすのではなく、遊びながら、楽しみながら、自然体で文字を覚えさそうとするものである。【解決の手段】本考案は割り符形式と、シグナルセンサーを組み合わせて、無理なく自然体で文字を覚えさそうとするものである。先ず分体と同じものをプラスチック板の所定の場所に貼付し、文字を再現させる。そして分体と合体する本体を同色として、分体を探しやすくする。そして探した分体を本体に合体さすと、シグナルセンサーの働きで、ＬＥＤが点灯する。手をはなすと点灯しているＬＥＤが消え、別のＬＥＤが点灯する。以上の手段で解決しようとするものである。【選択図】　　　　　図１
0003098320.tif 000002
【実用新案登録請求の範囲】
【請求項１】
文字を対角線上に２分割して切り離す、切り離された分体を探して本体に合体させると、文字ができる割り符形式と、電子回路で発光ダイオードを点、消灯させるシグナルセンサーを作る。これを組み合わせた文字と遊ぼう、にこにこゲーム用具である。
【考案の詳細な説明】
【０００１】
【考案の属する技術分野】
本考案は割り符形式とシグナルセンサーを組み合わせた、文字と遊ぼう、にこにこゲーム用具に関するものである。
【０００２】
【従来の技術】
木又はプラスチック製の平面に、着色した文字が書いてある。それを使って教え、覚えさすものが大半であり、幼児には余り興味がない。
【０００３】
【考案が解決しようとする課題】
平面に書いた文字で教え、覚えさすのではなく、割り符形式とシグナルセンサーを組み合わせ、２分割した分体を探して本体に合体さすと文字ができる、と同時にシグナルセンサーが働き発光ダイオード（以後ＬＥＤで表す）が点灯する。遊び楽しみながら、文字を覚えさすのである。このような構成により解決しようとするものである。
【０００４】
【課題を解決するための手段】
文字を２分割し切り離した分体を直接さがすことは難しい、それは分体が文字の１部分しか表現されていないからである。そこで分体と同じものを盤上の所定の場所に貼付する。すると文字が再現される、しかし多数の中から探すのは大変である。本考案の文字と遊ぼう、にこにこゲーム用具は、１組が４文字で構成されているので、１文字を１色に設定すると、たとえ多数でも４色に分類される。これならば分体を探すのに前述の盤上の貼付の形をみながら、本体と同じ色だけ探せばよく、非常に容易となる。探した分体を本体に合体さすとシグナルセンサーの働きで、ＬＥＤが点灯する。以上の手段で解決するのである。
【０００５】
【考案の実施の形態】
文字を２分割した分体を本体に合体させると、文字ができる割り符形式と、シグナルセンサーを組み合わせたものである。盤上への貼付と色別によって、分体を探すことが容易になったことは前述の通りである。電池と電子回路を収納したボックスの上部に、スイッチと２個のＬＥＤを設置する。そしてスイッチをＯＮにすると一方のＬＥＤが点灯する。分体を本体に合体さすと、薄いバネ板が導通板に接触し導通する。と同時にシグナルセンサーが働き、点灯しているＬＥＤが消え、他方のＬＥＤが点灯する。これがシグナルセンサーの仕組である。合体させた分体から手を放すと、薄いバネ板がほんの少し押し返して不導通にする。すると点灯していたＬＥＤが消え、最初のＬＥＤが点灯する。これが本考案の文字と遊ぼう、にこにこゲーム用具の実施の形態である。
【０００６】
【実施例】
図面によって実施例を説明すると、プラスチック板１へ分体３と同じもの４を所定の場所に貼付する。そしてプラスチック１上に細いボートと薄いバネ板６を組み合わせたものを設置し、また分体３が本体２に合体する辺の下部に導通板７を設置する。中心部に硬質ゴム系の本体支柱５をプラスチック１と本体２の中心部に接着して、本体２ができあがる。そして電池と回路を収納するボックス８を別に作成し、その上部にスイッチ９とＬＥＤ１０とＬＥＤ１１を設置する。スイッチ９をＯＮにするとＬＥＤ１０が点灯し、分体３を本体２に合体さすと割り符形式の仕組で文字ができる。と同時に分体３の導通板７が薄いバネ板６に接触、導通する。するとシグナルセンサーが即座に働き、ボックス８上部のＬＥＤ１０が消え、ＬＥＤ１１が点灯する。分体３から手をはなすと薄いバネ板６が僅かに分体３を押し返し、不導通の状態にする。するとシグナルセンサーが働き点灯しているＬＥＤ１１が消え、ＬＥＤ１０が点灯するのである。
【０００７】
【考案の効果】
前述の如く本考案の文字と遊ぼう、にこにこゲーム用具は、割り符形式とシグナルセンサーを組み合わせたものである。本考案の主眼は一人一人が、遊びながら、楽しみながら、文字を覚えることにある。一人でもできることは勿論であるが、複数の人と一緒にしたほうが更に効果的である。そのうえ操作は簡単であり、シグナルセンサーのＬＥＤの点灯負荷の電池消耗量は極小であるから経済的である。
【図面の簡単な説明】
【図１】本体、分体の構成する平面図である。
【図２】本体、分体の構成する側面図である。
【図３】本体支柱の断面図である。
【図４】本体支柱の側面図である。
【図５】分体の斜視図である。
【図６】導通バネ板の斜視図である。
【図７】電池と回路収納ボックスの平面図である。
【図８】電池と回路収納ボックスの側面図である。
【符号の説明】
１　　プラスチック板
２　　本体
３　　分体
４　　分体と同じ印刷合紙
５　　本体支柱
６　　導通バネ板
７　　導通板
８　　電池と回路収納ボックス
９　　スイッチ
１０　　発光ダイオード（ＬＥＤ）
１１　　発光ダイオード（ＬＥＤ）
１２　　電気コード
【図１】
0003098320.tif 000003
【図２】
0003098320.tif 000004
【図３】
0003098320.tif 000005
【図４】
0003098320.tif 000006
【図５】
0003098320.tif 000007
【図６】
0003098320.tif 000008
【図７】
0003098320.tif 000009
【図８】
0003098320.tif 000010
【手続補正書】
【提出日】平成15年7月3日(2003.7.3)
【手続補正１】
【補正対象書類名】明細書
【補正対象項目名】請求項１
【補正方法】変更
【補正の内容】
【請求項１】
色を設定した文字が書いてある木又はプラスチック製の物品を２分割して切り離してなる分体と、分体を合体可能にした本体からなり、切り離された分体を探して本体に合体させると、割り符形式に文字ができるとともにシグナル式電子回路により発光ダイオードを点・消灯させるように構成された文字と遊ぼう、にこにこゲーム用具である。
(57)【要約】　　　（修正有）【課題】原理や構造を学習する際に、分解組立が可能で多目的な用途で実験ができる固体高分子型燃料電池にする。【解決手段】内部構造が理解できるようにスケルトン構造で分解組立もできるものとした。電極は備長炭を素材としたもので触媒には白金（白金黒）を用い、幾つかの組み合わせでの実験ができるようにした。イオン交換膜１を透明な非伝導体で作られた陽極側インナープレート２と陰極側インナープレート３で挟み込む。白銀触媒を擦り込んだ電極の多孔質炭素電極６を酸素室４と水素室５にそれぞれ挿入して、陽極アウタープレート７と陰極側アウタープレートを取り付けて固定用ボルト・ナット９により締結する。【選択図】　図３
0003098312.tif 000002
【実用新案登録請求の範囲】
【請求項１】
スケルトン構造により内部構造を容易に確認することができる学習効果の高い固体高分子型燃料電池
【請求項２】
燃料電池の電極とイオン交換膜が接触する圧力を容易に調整することができる構造
【請求項３】
備長炭を用いた固体高分子型燃料電池用多孔質炭素電極
【考案の詳細な説明】
【０００１】
【考案が属する技術分野】
本考案は、燃料電池をスケルトン構造にしたことで内部構造の理解を深めさせることができ、分解組立を容易に行える構造とした。また備長炭を素材とした幾つかの電極を作ることで、それらの組み合わせを変えた実験ができる。さらに電極とイオン交換膜が接触する圧力を可変できる電極端子を利用した調整機能を備え、電極間に発生する電圧、電流やイオン交換膜の特性を調べるなど多目的な実験ができる固体高分子型燃料電池の製作法である。
【０００２】
【従来の技術】
現在市販されている固体高分子型燃料電池は、燃料となる水素及び酸素を直接注入するタイプと、水の電気分解で発生した水素（酸素）によって発電させるタイプがある。しかし両者ともに異種電極に交換することやイオン交換膜を製作したときにその性能を調べるための実験機器になる製品がない。
【０００３】
【考案が解決しようとする課題】
従来の技術では、固体高分子型燃料電池の多くはブラックボックス化されており、イオン交換による発電の仕組みを理解しにくい。またその製品は組み立てられた完成品で、電極である触媒部は白金（白金黒）を混ぜた粉末炭素を粘結剤とともにイオン交換膜にホットプレスされており、分解後はその触媒部である電極に欠損が生じて燃料電池の出力性能が確保できず再利用が困難で問題が起こる。
【０００４】
【問題を解決するための手段】
上記の課題を解決するために、容器全体をスケルトン構造にし、さらに分解組立が可能な構造にした。これによりイオン交換の仕組みが理解しやすくなり、さらに故障時のトラブルシューティングを容易に行うことができる。また備長炭で製作した多孔質炭素電極の組み合わせを変えたり、イオン交換膜の変更も簡単に行うことが可能で多目的な用途で実験ができる。
【０００５】
燃料電池は、まずイオン交換膜（１）を透明な非伝導体で作られた酸素室（４）がある陽極側インナープレート（２）と、水素室（５）のある陰極側インナープレート（３）で挟み込む。そして触媒となる白金（白金黒）を擦り込んだ電極の多孔質炭素電極（６）を酸素室（４）と水素室（５）にそれぞれ挿入して、空気吸入口（１２）がある陽極側アウタープレート（７）と、水素供給口（１３）及び水素ガスを密封させるパッキン（１４）を備える陰極側アウタープレート（８）を取り付けて固定用ボルト・ナット（９）により締結させる。
【０００６】
多孔質炭素電極（６）は、接触抵抗調整機能を持つ陽極側ターミナルボルト（１０）と陰極側ターミナルボルト（１１）で固定することで、イオン交換膜（１）と一対の多孔質炭素電極（６）の挟み込む接触圧力を可変できるために、接触抵抗を調べるための電圧の測定実験も可能である。
【０００７】
備長炭による多孔質炭素電極（６）の製造法は、酸素室（４）及び水素室（５）に入る大きさに備長炭をスライスし、触媒は粉末の白金（白金黒）を擦り込むことで固体高分子型燃料電池用の電極ができる。その他の製作法は、備長炭を粉末にして粘結剤と白金黒を加えて混成と成形をした後に無酸素状態で加熱して作る方法と、スライスした備長炭に、直接白金を蒸着メッキする方法がある。
【０００８】
【考案の実施の形態】
水素供給口（１３）へチューブパイプを通して、市販されている水素ボンベより水素ガスを注入することで、パッキン（１４）により密封されている水素室（５）に水素ガスが充填される。一方、空気吸入口（１２）を通して大気に開放されている酸素室（４）に空気中の酸素が入り、イオン交換膜（１）を介して一対の電極間で起電力が生じる。この起電力を、陽極側ターミナルボルト（１０）と陰極側ターミナルボルト（１１）から実験用電源として取り出す。さらに陽極側ターミナルボルト（１０）と陰極側ターミナルボルト（１１）でイオン交換膜（１）と多孔質炭素電極（６）が接触する面圧力を調整できるため、固体高分子型燃料電池のエネルギー損失の原因となる接触抵抗の測定実験も行える。
【０００９】
【考案の効果】
固体高分子型燃料電池は水素ガスと空気により発電が行われる。この現象は、初めて見た者には大きな衝撃であろう。
本考案は、スケルトン構造で内部の仕組みが見えるために、発電原理が理解しやすい。また分解組立が容易に行える構造のため、異種電極による組み合わせやイオン交換膜の変更も可能である。さらに電極間のイオン交換膜に加える力を調整できるため、条件を変えた多目的な実験が可能で高い学習効果につながる。また自らのアイデアで作り上げた電極やイオン交換膜などの特性を調べるための実験機器としての活用もできる。
【図面の簡単な説明】
【図１】本考案の上面図である。
【図２】本考案の下面図である。
【図３】本考案の断面斜視図である。
【符号の説明】
１　　イオン交換膜
２　　陽極側インナープレート
３　　陰極側インナープレート
４　　酸素室
５　　水素室
６　　多孔質炭素電極
７　　陽極側アウタープレート
８　　陰極側アウタープレート
９　　固定用ボルト・ナット
１０　　陽極側ターミナルボルト
１１　　陰極側ターミナルボルト
１２　　空気吸入口
１３　　水素供給口
１４　　パッキン
【図１】
0003098312.tif 000003
【図２】
0003098312.tif 000004
【図３】
0003098312.tif 000005
【手続補正書】
【提出日】平成15年6月25日(2003.6.25)
【手続補正１】
【補正対象書類名】明細書
【補正対象項目名】実用新案登録請求の範囲
【補正方法】変更
【補正の内容】
【実用新案登録請求の範囲】
【請求項１】
電池本体をアクリル板等の無色透明な材料で作り、電池内部にある電極、及びイオン交換膜等の観察が容易である学習効果の高い固体高分子型燃料電池
【請求項２】
燃料電池の電極と、イオン交換膜が接触する圧力を容易に調整できることを特徴とする請求項１記載の固体高分子型燃料電池
【請求項３】
備長炭を用いた多孔質炭素を電極として用いることを特徴とする請求項１記載の固体高分子型燃料電池
(57)【要約】　　　（修正有）【課題】化学土のうと貯水容量を持った容器とのセットを提供する。【解決手段】化学土のう（１）と容器（２）をセットし緊急時にすぐ利用可能とした。【選択図】　図１
0003098315.tif 000002
【実用新案登録請求の範囲】
【請求項１】
土を使用しない化学吸水土のう（１）と蓋付きの水の容器（２）を組み合わせたもの。
【考案の詳細な説明】
【０００１】
【考案の属する技術分野】
この考案は、災害時および緊急時に使用する常備用防災土のう用具に関するものである。
【０００２】
【従来の技術】
従来、土のうは土を必要としていたが化学オシメの技術を応用し、水を吸収して急速に膨張する土のいらない土のう（化学土のう）が開発された。化学土のうは軽量で使用前は折りたたんでおくこともできる。化学土のうだけ単体で販売されている。
【０００３】
【考案が解決しようとする課題】
これは次のような欠点があった。
化学土のうは、水に浸し吸収させて重量を増加させるものであるが、利用するときには水を十分貯められる大きな容器が必要となる。しかし緊急時に用意することは困難で不便だった。
本考案は、これらの欠点を解決するためになされたものである。
【０００４】
【課題を解決するための手段】
（イ）化学土のうと容器をセットにしておくことで緊急時にすぐ利用できる。
（ロ）化学土のうと容器をセットにしておくことで保管し易く、移動運搬も容易である。
（ハ）化学土のうは湿気を嫌うが容器に収納することで品質の劣化を防ぐことができる。
本考案は、以上のような構成からなる防災土のうセットである。
【０００５】
【考案実施の形態】
以下、本考案の実施の形態を説明する。
（イ）化学土のうを蓋付き容器に収納する。
（ロ）容器は、化学土のうを十分水に浸すことができる貯水容量とする。
（ハ）容器には化学土のう他、防災に関連する用具も一緒に収納してもよい。
【０００６】
【考案の効果】
化学土のうと容器をセットにすることで品質の劣化を防ぎ、収納と運搬及び取扱い作業が容易になる。
【図面の簡単な説明】
【図１】本考案の斜視図である。
【図２】化学土のうの斜視図である。
【図３】化学土のうを取扱い中（吸水前）の断面図である。
【図４】化学土のうを取扱い中（吸水後）の断面図である。
【符号の説明】
（１）．　　　化学土のう
（２）．　　　容器
【図１】
0003098315.tif 000003
【図２】
0003098315.tif 000004
【図３】
0003098315.tif 000005
【図４】
0003098315.tif 000006
【手続補正書】
【提出日】平成15年6月23日(2003.6.23)
【手続補正１】
【補正対象書類名】明細書
【補正対象項目名】実用新案登録請求の範囲
【補正方法】変更
【補正の内容】
【実用新案登録請求の範囲】
【請求項１】
土を使用しない化学吸水土のう（１）を蓋付きの水の容器（２）に収納した防災用土のうセット。
(57)【要約】　　　（修正有）【課題】簡単な構造で、収納時の収納スペースを少なくし、輸送コストも低減できる棚板部分を提供する。【解決手段】枠組み若しくは水平で平行に設置された取付け部材に設置されて使用される棚板部材であって、棚板部分と該棚板部分の四隅に設けられ、取付け部材に掛合する掛合部とで構成する。【選択図】　　図３
0003098354.tif 000002
【実用新案登録請求の範囲】
【請求項１】
枠組み若しくは水平で平行に設置された取付け部材に設置されて使用される棚板部材であって、棚板部分と該棚板部分の四隅に設けられ、前記取付け部材に掛合する掛合部とからなる棚板部材。
【請求項２】
棚板部分が金属線条を格子状にして形成され、棚板部分を形成する側縁部分の線条を延長し、当該延長部分をフック状に形成して掛合部を形成したことを特徴とする請求項１に記載の棚板部材。
【考案の詳細な説明】
【０００１】
【考案の属する技術分野】
本考案は棚板部材に関するものである。
【０００２】
【従来の技術】
パイプ等で枠組みされたフレームの横桟部分や流し台や押入れ等の側壁間に張り渡された横桟部分に載置されて固定される棚板は、例えば図４に示すようにしたものがある。
これは、エキスパンドメタルで扁平な棚板部分１０６を形成するとともに、長辺編部分１１０を側面視フック状にカーリングして嵌合部１０８を形成し、この嵌合部１０８を横桟部分に嵌合させて棚板部材１０１を設置するようにしたものである。
【０００３】
【考案が解決しようとする課題】
上記従来の棚板部材では、例えばこれを収納する為に上下に積み重ねる場合、嵌合部分が干渉しあうことから、重ね合わせて密に積み重ねることができ図嵩張ってしまうという問題があった。
こうした問題は、収納スペースが多く必要になるだけで無く、輸送コストも高くなってしまうという問題もある。
本考案は上記問題点に鑑み提案されたもので、簡単な構造で、収納時の収納スペースを少なくし、輸送コストも低減できる棚板部分を提供できるようにすることを目的とするものである。
【０００４】
【課題を解決するための手段】
上記目的を達成するために本考案にかかる棚板部材は、枠組み若しくは水平で平行に設置された取付け部材に設置されて使用される棚板部材であって、棚板部分と該棚板部分の四隅に設けられ、前記取付け部材に掛合する掛合部とで構成するようにしたことを特徴とするものである。
【０００５】
次に、棚板部分が金属線条を格子状にして形成され、棚板部分を形成する側縁部分の線条を延長し、当該延長部分をフック状に形成して掛合部を形成したことも特徴の１つである。
【０００６】
【考案の実施の形態】
以下本考案の棚板部材にかかる好ましい実施の形態を図面に基づいて説明する。図１は棚板部材の斜視図をであって、図中符号１は棚板部材を全体的に示す。
この棚板部材１は、左右に対峙させ、前後の側縁部分を保形用線条２・２で連結して矩形の枠体３を形成し、側縁用線条（金属線条）４・４間にこれより細めの金属線条５・５・・・を格子状に設けて棚板部分６を形成する。
【０００７】
次に、棚板部分６の側縁用線条４・４の前後両端部分を延長し、この延長部分を側面視下向きのフック状に曲成することにより、当該部分に後述する取付け部材７に掛合する掛合部８が形成される。
上記のように形成された掛合部８は棚板部分６の四隅に形成される。
そして、この状態で棚板部分６及び掛合部４の表面部分が合成樹脂でコーティングされると、棚板部材１が完成する。
【０００８】
上記棚板部材１を使用する手順を次に説明する。
図２に示すように、例えば流し台の下方空間に左右の側壁部分（図示せず）に亙って横桟部材（取付け部材）９・９をはりわたし、このはりわたされた横桟部材９・９の上方から棚板部材１を載せ、棚板部分６の四隅に形成された掛合部８を横桟部材９・９に嵌合させると、棚板部材１の横桟部材９・９への装着が完了する。
【０００９】
次に、棚板部材１を収納したり搬送したりする場合、複数の棚板部材１・１・・・を上下に重ね合わせる。
このとき、図４に示すように棚板部分６の四隅に形成された上下の掛合部８同士が重なり合わないように左右にずらす。
すると複数の棚板部材１・１・・・は密に重ね合わせることができる。
これにより、多数の棚板部材１の収納もコンパクトにでき、搬送も簡単に行える。
【００１０】
尚、上記実施の形態では棚板部分６を、左右に対峙させ、前後の側縁部分を保形用線条２・２で連結して矩形の枠体３を形成し、側縁用線条４・４間に細めの線条５・５・・・を格子状に設けて形成する用にしてあるが、本考案はこうしたものに限られず、従来のようなエキスパンドメタルは勿論のこと、パンチングメタルや合成樹脂製プレートで形成することができるのは勿論である。
【００１１】
更に、上記実施の形態では棚板部材１を流し台の下方空間に左右の側壁部分に亙ってはりわたされた横桟部材９・９に装着するようにしてあるが、こうしたものに限られず、横桟部材９・９・は押し入れ等にも設けることができるのは勿論である。
また、横桟部材９・９は図２に示すようははりわたす形式のものだけでなく、独立して枠組みされたものであっても良い混気ジェットポンプとは勿論である。
【００１２】
【考案の効果】
本考案にかかる棚板部材は、以上に説明したように、枠組み若しくは水平で平行に設置された取付け部材に設置されて使用される棚板部材であって、棚板部分と該棚板部分の四隅に設けられ、前記取付け部材に掛合する掛合部とで構成するようにしてあるので、棚板部材を上下に重ね合わせる場合、棚板部材の四隅部分に形成された掛合部同士が上下で重なり合わないように上下の棚板部材を相対的にずらすことにより密に重ね合わせることができる。
これにより、収納スペースを少なくするとともに、輸送コストも低減できる利点がある。
【００１３】
また、棚板部分が金属線条を格子状にして形成され、棚板部分を形成する側縁部分の線条を延長し、当該延長部分をフック状に形成して掛合部を形成するようにしたものでは、軽量化を図れるとともに、構造を簡単にすることができる利点がある。
【図面の簡単な説明】
【図１】は本考案にかかる棚板部材の斜視図である。
【図２】は本考案にかかる棚板部材の使用状態の斜視図である。
【図３】は本考案にかかる棚板部材を重ね合わせた状態の斜視図である。
【図４】は従来例にかかる棚板部材の斜視図である。
【符号の説明】
１・・・棚板部材
４・５・・・金属線条
７・・・取付け部材（横桟部材）
８・・・掛合部
【図１】
0003098354.tif 000003
【図２】
0003098354.tif 000004
【図３】
0003098354.tif 000005
【図４】
0003098354.tif 000006
(57)【要約】【課題】本考案は携帯電話のハンズフリー機構をストラップに設けることによる一体化と、その機構が携帯電話の機種による形状の違いがあっても取り付けを可能とする、ハンズフリー環境を可能とする。【解決手段】本考案は吸着固定部１が携帯電話画面表示部に吸着固定し、耳掛け部２が携帯電話６とのハンズフリー状態での送受話を可能とし、ストラップ−耳掛け機構間固定部３とストラップ部４、ストラップ−携帯電話間固定部５を経由して携帯電話本体と接続される。【選択図】　図１
0003098360.tif 000002
【実用新案登録請求の範囲】
【請求項１】
耳掛け用のフック又はリング形状の物体を携帯電話の画面表示部への吸着によって携帯電話の機種及び形状に関係なく固定する機能を持たせ、更にストラップと一体化することで持ち運びやすく使いやすい特徴を持ったストラップ
【考案の詳細な説明】
【０００１】
【考案の属する技術分野】
本考案は、携帯電話の吸着機構採用によるハンズフリー機構を設けたストラップに関するものである。
【０００２】
【従来の技術】
従来の機構的なハンズフリー装置は、主に携帯電話の外装に取り付ける形状で、電気的なハンズフリーイヤホン及びマイクは、主にその送受話部と携帯電話ケースまたはホルダーの構成となっている。
【０００３】
【考案が解決しようとする課題】
電気的機器では常に携帯電話と別途、又は送受話部とホルダー又はケース部全体を携行する必要があり、手軽な扱いが困難であった、又、機構的な手段では、携帯電話の外部形状が機種ごとに異なる為、各機種に共通して取り付ける機構を設けることが困難であった問題点を解決しようとするものである。
【０００４】
【課題を解決するための手段】
本考案は、携帯電話のストラップに耳掛け機構を付加して手軽な同時携行を可能とし、更にその機構が携帯電話の機種に関係なく平面な形状を持つ画面表示部に吸着固定する機能を持たせることで問題点を解決している。
【０００５】
【考案の実施の形態】
使用者はハンズフリーによる通話を必要と判断した際、耳掛け部を携帯電話画面表示部に吸着部で吸着固定してから耳掛け部を耳に装着、又は耳掛け部のみを耳に装着した後に画面表示部を吸着部に接触させて吸着固定させるいずれかの方法で携帯電話の耳への固定を終えた後、ハンズフリーによる通話が可能となる。
【０００６】
【実施例】
以下、添付図面に従って一実施例を説明する。１は弾力性を持つ材質によって形成された吸盤、２は図１では硬質フック形態、図２では軟質のリング形態を示し、３はストラップ部との１及び２の接続を行なう部分であり、４の繊維による可動固定部は１の吸着固定の無い状態でのぶらさげ等の取り扱いを可能とする役割を持ち、５の紐部で６の携帯電話本体との１の吸着による固定が無い場合の６と本考案との接続を維持する。
【０００７】
２の耳掛け部は図１のフック型では左右方向に回転することで、又、図２のリング型では左右対称型であることで左右いずれの耳でも装着が可能となる。
【０００８】
使用者が通話中に於いて吸着部が外れた場合に於いても、５が最終的に耳と６間の保持を行なう事により、６が直接地上に落下する危険性を回避している。
【０００９】
使用者が携帯電話に対する耳の位置を変更したい場合、２は１の吸着機構により画面表示部平坦箇所のいずれの位置でも取り付けが可能である為、使用者の適切とする位置に移動が可能である。
【考案の効果】
上述の様に、本考案の携帯電話用ハンズフリーストラップは、携帯電話のストラップに耳掛け機構を付加することで別途持ち歩く手間を解消し、更にその固定方法が携帯電話の平坦である画面表示部への吸着固定という手段を用いていることで携帯電話の機種・形状を選ぶことなく容易なハンズフリーでの通話実現に役立つ。
【図面の簡単な説明】
【図１】本考案の携帯電話用ハンズフリーストラップの一実施例を示した正面図である。
【図２】本考案の耳掛け部がリング形状である場合を示した正面図である。
【符号の説明】
１　吸着固定部
２　耳掛け部
３　ストラップ−耳掛け機構間固定部
４　ストラップ部
５　ストラップ−携帯電話間固定部
６　携帯電話本体
【図１】
0003098360.tif 000003
【図２】
0003098360.tif 000004
(57)【要約】【目的】容器の押し弁と、固定振れ止めと、夜光色と手甲振れ止めによる目薬安定容器。【構成】容器の底部押し弁と親指振れ止めに、点眼口部分に夜光色をほどこし、手甲振れ止めによるこどで、目薬容器の安定を図るようにした。【選択図】図１
0003098361.tif 000002
【実用新案登録請求の範囲】
【請求項１】
容器の１、底部押し弁と、２親指固定振れ止めに、３夜光色を、施し、６手甲振れ止めを、特徴とする目薬容器。
【考案の詳細な説明】
【０００１】
〔考案が解決しようとする課題〕
従来の目薬容器は、大変振れが多く、その為眼球以外の部分に液がこぼれ、又目自体を傷つけるという問題を有していた。
【０００２】
〔課題を解決するための手段〕
上記目的を達成するために、底部押し弁と、親指固定振れ止めを作り点眼口部分に夜光色をほどこし、更に手甲振れ止めによって、目薬容器の振れを完全に無くする用にした。
【０００３】
〔考案の効果〕
本目薬容器により、薬液の無駄を無くし、目を傷つける事なく、更に暗がりでも点眼可能な目薬安定容器となりうる。
【図面の簡単な説明】
【図１】本目薬容器の側面図である。
【図２】本目薬容器の正面図である。
【図３】本目薬容器の使用図である。
【符号の説明】
１、底部押し弁
２、親指固定振れ止め
３、夜光色
４、目薬点眼口
５、キャップ
６、手甲振れ止め
７、手甲
【図１】
0003098361.tif 000003
【図２】
0003098361.tif 000004
【図３】
0003098361.tif 000005
(57)【要約】【課題】ティーパック，だしパックのように家庭内で手軽に、かつ容易に豆乳を得て飲用に供し、植物性蛋白質を摂取する。【解決手段】大豆を洗浄し、剥皮し、乾燥して破砕し、粉末又は薄く延ばしたフレークに形成し、水分含有量を１０％以下にした可溶性大豆粉末又はフレークから成る豆乳原料を透過性を有する袋パック内に封入した豆乳抽出パックである。ここで使用する大豆は豆臭さを無くし、風合いを改善するためリポキシゲナーゼを含まない大豆であることが好ましい。また、フレークとしては０．１〜０．３ｍｍ程度の厚さに薄く延ばしたものが溶けやすく好適である。【選択図】　　図１
0003098345.tif 000002
【実用新案登録請求の範囲】
【請求項１】
大豆を洗浄し、剥皮し乾燥して破砕し、粉状又は薄く延ばしたフレークに形成し、水分含有量を１０％以下にした可溶性大豆粉末又はフレークからなる豆乳原料を透過性を有する袋パック内に封入してなることを特徴とする豆乳抽出パック。
【考案の詳細な説明】
【０００１】
【考案の属する技術分野】
本考案は家庭において水又は熱水を注入するだけで豆乳を手軽に抽出し飲用することが出来る豆乳抽出用パックに関するものである。
【０００２】
【従来の技術】
豆乳は従来、植物性蛋白飲料として注目され、丸大豆又は脱脂大豆の水又は熱水可溶物を減圧，濃縮後、噴霧乾燥して得た粉末を水又は熱水に溶かしたり、ひき砕いた大豆に水を加えて加熱するなどの手段によって作られていたが、近時、豆臭さの不快感をなくし、香ばしい風味を有する豆乳を得るべく、新しい豆乳の作り方なども提案されている。（例えば特許文献１参照）
【０００３】
【特許文献１】特開２００３−９３００８
【０００４】
【考案が解決しようとする課題】
しかし、上記従来の豆乳に関する提案はその殆どは豆乳自体の品質又は製造面の改良に関するものであり、豆乳を手軽に家庭内で飲用することなど、使用面については殆ど提案はなされていない。
もとより、ティーパック，だしパックなどにおいて粉末などを透過性を有する小袋パック内に封入して熱水内に浸漬し利用することが従来より行われているが、豆乳抽出のための大豆粉末のティーパック体については聞いていない。
【０００５】
本考案は上述の如き実状に着目し、特に豆乳生成用原料を粉末又は薄いフレーク状でパック内に封入し、利用することを見出し、ティーパック，だしパックの如く家庭内で手軽に、かつ容易に豆乳を抽出し、飲用可能とすることを目的とするものである。
【０００６】
【課題を解決するための手段】
即ち、上記目的に適合する本考案は、大豆を洗浄し、剥皮し乾燥して破砕し、粉末又は薄く延ばしたフレークに形成し、水分含有量を１０％以下にした可溶性大豆粉末又はフレークからなる豆乳原料を透過性を有する袋パック内に封入してなることを特徴とする。
ここで、大豆はリポキシゲナーゼを含まない大豆であることが好ましい。
このリポキシゲナーゼを含まない大豆から作られた粉末又は薄いフレークはリポキシゲナーゼに起因する豆臭さが全くなく、風合いが改善される。
なお、フレークは０．１〜０．３ｍｍ程度の厚さに圧延されたものが溶け易さの面で好適である。
【０００７】
【作用】
上記大豆粉末又はフレーク入り小袋のパックは、ティーパック等と同様、該パックを容器に入れ、水又は熱水を注入すると豆乳原料となる上記粉末又はフレークに水又は熱水が浸透することによって溶け、容器内に豆乳が出来上がる。
なお、得られた豆乳は、豆乳原料の固形分比率の高い場合には固形分が溶出することによって脂肪分の多い豆乳となり、固形分比率の少ない場合には脂肪分の少ない豆乳となり、豊富な蛋白質と共に脂肪分の調整された豆乳が得られる。
【０００８】
【考案の実施の形態】
以下、更に添付図面を参照し、本考案の具体的実施の形態について説明する。
【０００９】
図１は本考案に係る豆乳抽出パックの１例を示し、図において１はパックの袋、２は該パック内部に封入された豆乳原料の大豆粉末又はフレークである。
封入された大豆粉末又はフレークは大豆を洗浄し剥皮して乾燥し、更に破砕して粉末となしたものか、薄く０．１〜０．３ｍｍ位の厚さに圧延してフレークとなしたものであり、可溶性を有しており、かつリポキシゲナーゼ反応が起きるのを防止するため水分含有量を１０％以下に絞り込んでいる。
【００１０】
一方、パックの袋１は上記大豆の粉末又はフレークを封入するもので、封入する所要の量に応じて適宜大きさの既知のパックが選定されるが、透過性を有し、水又は熱水の注入によって大豆粉末又はフレークからなる豆乳原料が溶け、豆乳が抽出されるものであることが肝要である。
通常、薄葉紙シートが用いられるが、同効なシートであれば使用可能である。なお、内部に大豆粉末又はフレークからなる豆乳原料を封入した袋パックは単独であってもよく、また複数個連結して一連に作ることが出来る。
【００１１】
かくして上記袋パック１内に所要量の上記豆乳原料を封入することによって市販に供され、これを水に浸し、又は湯水の中に入れて１０〜１５分程度煮沸し、あるいは熱湯中に入れて押し出すことにより手軽にパックを通して豆乳抽出ができ、家庭内においても手軽、かつ容易に豆乳を飲用することができる。
【００１２】
【考案の効果】
本考案は以上のように、所定の大豆の粉末又は薄く延ばしたフレークからなる豆乳原料を袋パック内に封入したものであり、簡単かつ手軽に家庭内においても水又は湯を注ぐだけで豆乳を得ることができ、従来の大豆を使って加熱し、わざわざ豆乳を作るのに比べて頗る効率的であると共に、固形分と蛋白質の抽出効率を大幅に改善することができ、しかも豆臭さもない豆乳を提供することができる顕著な効果を有している。
【図面の簡単な説明】
【図１】本考案に係るパックの１例を示す一部切欠斜視図である。
【符号の説明】
１　袋パック
２　豆乳原料
【図１】
0003098345.tif 000003
(57)【要約】【課題】御年寄りや身体障害者のように靴を履くのが困難なものに対して、スリッパ、サンダル等の履き易い履物の欠点である脱げ易さを克服するための中敷を提供することにある。【解決手段】スリッパ、サンダル状の履物の足裏部との接触面にエチケットブラシ等に使用される一方向性を持つモケット布地の滑り止め材を使用した接着固定する中敷を提供することにより履き易く脱げにくい履物を提供することが出来る。【選択図】図１
0003098344.tif 000002
【実用新案登録請求の範囲】
【請求項１】
スリッパ状の履物を履いた時、足裏部との接触面に抜け落ち防止用となる一方向性を持ったモケット布地による滑り止め材を提供する事を特徴とする脱落防止用中敷。
【考案の詳細な説明】
【０００１】
【考案の属する技術分野】本考案は、御年寄りや身体障害者など靴を履くことが困難な者がスリッパやサンダル等を履いた時、抜け落ちてしまいやすい事を防止するための中敷に関するものである。
【０００２】
【従来の技術】従来の履物は、靴のように脱げにくいものは履きにくく、スリッパのように履きやすいものは脱げてしまい易いのが一般的であった。
【０００３】
【考案が解決しようとする問題点】お年寄りや身体障害者にとって、履物を履く場合腰をかがめるのは重労働であり、靴のように紐で固定する物や、踵まで覆うものは大変履きにくく、また、スリッパのように履き易い物は歩行時に脱げ易く不便であり、お年寄りや、身体障害者にとっては危険でさえある。
【０００４】
【問題を解決するための手段】スリッパの様な履き易い形状の履物の足裏との接触部にエチケットブラシ（登録商標）の様な一方向性を持ったモケット布地からなる滑り止め材としての中敷を提供する。
【０００５】
【考案の実施の形態】スリッパ、サンダル状の履物の足裏との接触する面の一部（図１）又は全面（図２）に接着されるべく形状をしており、表面素材はエチケットブラシ（登録商標）等に使用される一方向性のある布地（モケット布地）や山岳スキーに使用される逆走防止用シール材などを履物を脱ぐ方向に対して引っかかる（滑らない）方向を向けて使用される。
【０００６】
裏面には粘着性の接着剤が塗布されており、この接着剤によりスリッパ、サンダル等の足を乗せる面に接着固定される。
【０００７】
【考案の効果】
上述のような構造をもった中敷を提供することにより、特に御年寄りや身体障害者のように靴を履く事に困難を要するものにとってはスリッパ、サンダルの様に履き易い形状をした履物でも脱げにくい履物として安全かつ有効に使用できるものとすることが出来る。
【図面の簡単な説明】
【図１】本考案の一実施例を示す全体斜視図である。
【図２】上記他の実施例を示す全体斜視図である。
【図３】本考案をスリッパ状の履物に接着固定し、足を入れた状態の使用状況を示す断面図である。
【符号の説明】
１：モケット布地
２：粘着性固定用接着剤
３：使用時の足の脱落方向を示す
４：モケット布地の繊維の傾斜方向を示す
【図１】
0003098344.tif 000003
【図２】
0003098344.tif 000004
【図３】
0003098344.tif 000005
(57)【要約】　　　（修正有）【課題】簡単な構造でより積極的で短時間に頸椎、腰椎等の脊柱、仙腸閣節の変性部分を矯正することで治療期間を短縮し、身体本来の状態に復して痛みを取り除き正常な身体形状を維持する治療器具を提供する事である。【解決手段】頸椎、腰椎それぞれに伸縮性を有する弾性材で形成するベルトＢ、Ｃを両端を固定する事で人体の要部に回して固定装着し、前記両ベルトとは別体の空気を閉じ込め密閉された円錐台形状容器Ａを前記ベルトと人体間に挿入し、直接患部を押圧する。【選択図】　　図６
0003098343.tif 000002
【実用新案登録請求の範囲】
【請求項１】
両端に、互いに係合して成る固定手段を施す伸縮性を有する弾性材で形成する頸椎ベルトと、該ベルトより幅の広い別体に設ける両端に固定手段を施す弾性材で形成される骨盤ベルトと、両ベルトとは別体の空気を閉じ込め密封された円錐台形状の容器とからなり、人体の要部に回して固定する前記ベルトと人体間に、前記容器を挿入して使用する頸痛及び腰痛治療用押圧器具。
【考案の詳細な説明】
【０００１】
【考案の属する技術分野】
本考案は頸部痛の主な原因となる鞭打ち症、加齢等による頸椎の変性、交通事故等による腰椎捻挫、椎間板ヘルニア等による腰痛の主なる原因となる腰椎、仙腸関節等の変性による障害の矯正治療用具に関するものである。
【０００２】
【従来の技術】
従来のベルト体のみからなる治療ベルトは、均等な力で身体の筋力の衰えをカバーし患部を安定させるサポートタイプの消極的、現状維持的なもので、早急で劇的な効果は期待できなかった。
【０００３】
【考案が解決しようとする課題】
本考案は簡単な構造で、より積極的に頚椎、腰椎などの脊柱、仙腸関節等の変性部分を空気圧で押圧矯正することで、身体本来の状態に復して痛みを取り除き、正常な身体形状を維持する事である。
【０００４】
【課題を解決するための手段】
本考案は頸椎、腰椎それぞれに伸縮性素材によるベルトの両端を固定することで身体に装着し、その後ベルトと身体の間に中が空洞で円錐台形状の空気を封じ込め密封する容器を挟み、前記容器の空気圧と伸縮性素材ベルトによる圧力で直接患部を押圧する事である。
【０００５】
【考案の実施の形態】
考案の実施の形態について図面によって説明する。
図１は布で包まれた円錐台形状の容器Ａで、高さは５センチメートル位である。１は前記容器Ａの小円面であり、直径は８センチメートル位で面ファスナー等の接着面となっており、頸椎治療にはこの小円面を使う。２は前記容器Ａの大円面であり、直径１４センチメートル位で腰椎治療にはこの大円面を使う。
【０００６】
図２は頸椎治療用の頸椎ベルトＢで、幅は５センチメートル位、長さは２２０センチメートルから２４０センチメートル位である。頸椎治療にはこの頸椎ベルトＢの中央部を背中に当て、面ファスナー等の両端接着面３、４を前にもってきて両肩の上から背中へ回し中央で交差させてから、両端接着面３と４を前胸の中央部に固定する。その後身体と頸椎ベルトＢの背側交差部分の間に、図１の容器Ａの小円面１が身体に付くように挟め患部に当てる。図４はその装着図である。
【０００７】
図３は腰椎治療用の骨盤ベルトＣで外側表面５と内側裏面６の二重構造で、外側表面５の幅は１２センチメートル位で、内側裏面６は９センチメートル位が適当である。長さは１２０センチメートルから１４０センチメートル位で、内側裏面６の中央部分に２０センチメートル位の面ファスナー等の接着面７をもつ。腰椎治療には前記ベルトＣの内側裏面６の中央部を骨盤の背側中央に当て、ベルトＣの面ファスナー等の両端接着面８、９を前に持ってきて固定し、身体とベルトＣの内側裏面６の中央部接着面７の間に、図１の容器Ａの大円面２を下肢に疼痛叉は障害が出ていない側の仙腸関節の右側か左側（あるいは中央）のどちらか自分が心地良いと感じる所へ当てて挟み込む。すなわち骨盤ベルトＣの内側裏面６の中央部接着面７と円錐台形状容器Ａの接着面１が固着される。図５はその装着図である。
【０００８】
【考案の効果】
頸椎治療用押圧器具を使用して、何年間も交通事故の鞭打ち症で首の可動範囲が極端に狭く、ひどい肩こりを伴い日常生活に不自由していた人が、劇的に上を向けるようになり肩こりも改善された。
腰椎治療用押圧器具を使用する事で、それまで車椅子だった人が自力で歩行可能に、歩行器を使って背中を丸めやっと歩いていた人が背筋を伸ばしスタスタ歩行でき、交通事故後に歩幅が急に狭くなり歩行困難に陥っていた人が瞬間的に治療効果を得て歩幅が広くなり歩行が容易になる等多数の症例があり、これまでになかった症例として現在大學病院の整形外科の医師が研究中である。
何故、前記のような劇的な治療効果が上がるのかまだ理由は明らかでないが、通常脊柱の変性は事故や加齢による変化などで前屈み（猫背状態等）になり、脊椎が変性し神経を圧迫して痛みが増幅すると考えられるので、脊柱、腰椎を後ろ側から押して、身体本来の形状である前側に戻して矯正する事で、神経を圧迫していた部分が改善されると思われる。
現に腰椎椎間板ヘルニアの疼痛で、手術を受けることになっていた人が、本治療用押圧器具を使用して仕事が続けられるようになったが、腰椎のＭＲＩ検査の結果、フィルム上では以前と何らの変化も見られないのに、手術をせずに痛みがなくなり日常生活が可能になっている。
この治療用押圧器具は軽くて単純な構造なので着脱が簡単であり、頸椎治療には頸椎ベルトＢの交差で円錐台形状の容器Ａを固定し、叉腰椎治療には骨盤ベルトＣの接着面７と円錐台形状の容器Ａの接着面１を固着するので、トイレ等での落下や装着中にずれる事がないので患部を的確に治療できる。
また円錐台形状の容器Ａと伸縮性の頸椎ベルトＢ、骨盤ベルトＣの押圧による矯正効果は即効性があり短時間の装着で充分効果があるので、外出時は装着の必要がない上、治療期間も従来のベルトのみの治療より短期間で治療効果が出る。頸椎ベルトＢ、骨盤ベルトＣは円錐台形状の容器Ａをはずした後、そのままベルトのみを装着している事で、矯正した身体状態を保つサポーターとなるので、首と腰に負担がかからないので日常生活がとても楽である。
【図面の簡単な説明】
【図１】円錐台形状の容器である。
【図２】頸椎治療用の頸椎ベルトである。
【図３】腰椎治療用の骨盤ベルトである。
【図４】頸椎ベルトと円錐台形状容器の装着図である。
【図５】骨盤ベルトと円錐台形状容器の装着図である。
【図６】頸椎ベルトと骨盤ベルトに円錐台形状の容器を装着した図である。
【符号の説明】
Ａ　容器
Ｂ　頸椎ベルト
Ｃ　骨盤ベルト
１　容器の円錐台面の小円面
２　容器の円錐台面の大円面
３　頸椎ベルト端の接着面
４　頸椎ベルト端の接着面
５　骨盤ベルトの幅広の外側表面
６　骨盤ベルトの内側裏面
７　骨盤ベルトの内側裏面中心部の接着面
８　骨盤ベルト端の接着面
９　骨盤ベルト端の接着面
【図１】
0003098343.tif 000003
【図２】
0003098343.tif 000004
【図３】
0003098343.tif 000005
【図４】
0003098343.tif 000006
【図５】
0003098343.tif 000007
【図６】
0003098343.tif 000008
(57)【要約】【課題】携帯電話機の表示画面の汚れを拭い取るクリーナーは実用性に優れてはいるが、それ自体にはアクセサリーが求められる面白さ、楽しさに欠けていた。【解決手段】ステッカー方式の電波感応点滅装置の接着面にクリーナーを貼り付けることにより、実用性と楽しさを兼ね備える新しいアクセサリーを作ることができる。【選択図】　図１
0003098388.tif 000002
【実用新案登録請求の範囲】
【請求項１】
ＩＣ及びＬＥＤを主要部材として携帯電話の電波に反応して点滅する装置を内蔵したステッカーと
メガネクリーナーの繊維材料を使用して携帯電話画面の汚れを除去する機能を持ったクリーナーストラップを表裏に組み合わせたアクセサリーの構造。
【考案の詳細な説明】
【０００１】
【考案の属する技術分野】
この考案は電波に反応するＩＣと、このＩＣから電力を受けて発光するＬＥＤより構成される装置（以下、電波感応点滅装置と呼ぶ）を一方の面に有し、その反対の面に携帯電話機の表示画面の汚れを拭い取るクリーナーの機能を有する素材を設けたアクセサリーに関する。
【０００２】
【従来の技術】
携帯電話機の電波に反応するステッカーは、昨年より当社が企画・発売し消費者に支持され、全国いたるところで見かけることが出来る人気グッズである。従来の電波感応点滅装置にはカバーの材料が透明樹脂製であってストラップとして光の点滅を楽しむストラップ方式と、電波感応点滅装置を携帯電話機に直接貼り付けて光の点滅を楽しむステッカー方式がある。
【０００３】
また携帯電話機の表示画面を清掃する携帯電話機用クリーナーもその機能性を買われ、クリーナーストラップとして非常に人気のある商品である。従来の携帯電話機用クリーナーの一方の面は携帯電話機の表示画面を清掃する布素材、他の面は主にビニールなどの素材で文字やキャラクターなどの絵柄を印刷していた。
【０００４】
【考案が解決しようとする課題】
これまでは電波感応点滅装置と携帯電話用クリーナーはそれぞれ別個の商品として存在した。携帯電話機用クリーナーは確かな機能を有する「実用的」な商品ではあったが、裏面の樹脂製カバーの上に文字または絵柄が印刷されているだけのことで、そこにはこの種商品が強く要求される「楽しい」要素が欠けていた。一方、電波感応点滅装置は光の点滅と楽しむ点で「楽しい」要素は優れているが、それ自体は「実用的」価値を伴わない商品であった。
【０００５】
【課題を解決するための手段】
この二つの個性が異なった商品を合体させる時、「実用的」で、かつ「楽しい」商品が現れる。
【０００６】
【考案の実施の形態】
以下、図面を用いてこの考案になるアクセサリーの実施例を説明する。図１はこの考案になるアクセサリーを電波感応点滅装置の側から見た正面図、図２はその側面図である。
【０００７】
図２に見るように、電波感応点滅装置１とクリーナー２は互いの背面で接着されている。この接着のための接着剤はこれら二つの物品の何れの側に塗布されていても結果は同じである。実用的には両面粘着テープを用いて接着できる。
【０００８】
この商品ではクリーナー２に設けられた耳３に明けられた穴４に通した金具５を介してコイルストラップ６に連結されている。これらの組み合わせは単に具体的な商品設計の問題で、本新案の本質を構成する要素ではない。
【０００９】
【考案の効果】
この考案によるアクセサリーは、クリーナーに電波感応装置を貼る事により、携帯電話機の受発信時に幻想的なＬＥＤの点滅を楽しむ事が出来ると共に、使用後に汚れた表示画面をクリーンに保つ事が出来る実用性と、楽しさ、遊び心を兼ね備えたユニークな新商品を顧客に提供することができる。
【００１０】
また電波感応点滅装置を内蔵するステッカーは、クリーナーを構成するファイバー素材による基盤を土台としているため、その形状自由性から様々なサイズ、形に加工する事ができ、また基盤と表面樹脂の間にある印刷紙はあらゆる文字、図案を印刷する事が出来るので、ユーザーの多様な需要に対応可能で商品価値を高める事が出来る。
【図面の簡単な説明】
【図１】本考案になるアクセサリーの正面図である。
【図２】本考案になるアクセサリーの側面図である。
【符号の説明】
１　　電波感応点滅装置
２　　クリーナー
３　　耳
４　　穴
５　　金具
６　　コイルストラップ
【図１】
0003098388.tif 000003
【図２】
0003098388.tif 000004